(57)【特許請求の範囲】
【請求項１】
オーディオファイルを再生する再生手段と、
第１のオーディオファイル中に付与されているインデクスマークを検出する検出手段と、
上記再生手段による上記第１のオーディオファイルの再生中、上記検出手段によるインデクスマークの検出結果に基づいて、その再生位置が上記インデクスマークの付与されている位置に来たと判別したときに、上記インデクスマークに関連付けられた第２のオーディオファイルを再生するように上記再生手段を制御する制御手段と、
上記第２のオーディオファイル再生中には、上記第１のオーディオファイルに関連付けられて再生を行っていることを示す表示を行う表示手段と、
を具備することを特徴とするデータ再生装置。
【発明の詳細な説明】
【０００１】
【発明の属する技術分野】
本発明は、音声データにインデクスマークを付与することが可能なデータ再生装置に関する。
【０００２】
【従来の技術】
一般に、音声記録再生装置即ちテープレコーダの用途の一つとして、口述記録がある。この口述記録は、例えば、予め送るべき手紙の内容をテープレコーダにてテープに音声で記録しておき、秘書などにこの録音したテープを渡し、この秘書などは、そのテープを再生して音声を聞きながら手紙をタイプ作成する、あるいは、会議の内容を録音しておき、後でこの録音を聞きながら議事録を作成する、等、様々な利用法がある。
【０００３】
また近年、音声記録再生装置に於いては、装置の小型化の要求から、例えば、特開昭６３−２５９７００号公報に開示されているように、記録媒体として、磁気テープの代わりに半導体メモリを使用する装置が開発されてきている。
【０００４】
ところで、記録媒体には複数の文章がオーディオファイルとして記録されることから、このデータ再生装置では、録音者により録音時に、記録された複数ファイル間の優先関係を示す例えばインストラクション（Ｉ）マークというタイピストや秘書向けの指示用インデクスマークを記録することができるようになっており、録音者は、このＩマークを使って、音声によって具体的に優先関係を指示するということが行われていた。
【０００５】
即ち、口述記録等において、その部分にタイピストへの指示を入れたい場合には、通常、その部分にインデクスマークを付与し、後から挿入録音でその部分に指示内容を録音する、ということが行われていた。
【０００６】
【発明が解決しようとする課題】
しかしながら、このようにすると、後から挿入された部分も元のファイルと共にひとつながりになってしまうので、指示内容を聞く必要がない場合には逆に邪魔になってしまう。また、挿入する指示内容が同じ場合でも、そのたびに何回も録音しなければならないので手間がかかるし、メモリ容量も消費してしまうことになる。
【０００７】
本発明は、上記の点に鑑みてなされたもので、オーディオファイルの所望の箇所に容易にメッセージを挿入し、再生することが可能なデータ再生装置を提供することを目的とする。
【０００８】
【課題を解決するための手段】
上記の目的を達成するために、本発明によるデータ再生装置は、
オーディオファイルを再生する再生手段と、
第１のオーディオファイル中に付与されているインデクスマークを検出する検出手段と、
上記再生手段による上記第１のオーディオファイルの再生中、上記検出手段によるインデクスマークの検出結果に基づいて、その再生位置が上記インデクスマークの付与されている位置に来たと判別したときに、上記インデクスマークに関連付けられた第２のオーディオファイルを再生するように上記再生手段を制御する制御手段と、
上記第２のオーディオファイル再生中には、上記第１のオーディオファイルに関連付けられて再生を行っていることを示す表示を行う表示手段と、
を具備することを特徴とする。
【０００９】
即ち、本発明のデータ再生装置によれば、第１のオーディオファイルの再生中に、インデクスマークが付された再生位置になったときに、該第１のオーディオファイルに関連付けられた、該第１のオーディオファイルとは別の、第２のオーディオファイルを再生する。また、上記第２のオーディオファイル再生中には、上記第１のオーディオファイルに関連付けられて再生を行っていることを示す表示を行う。
【００１０】
従って、第１のオーディオファイルの所望の箇所に容易にメッセージ（第２のオーディオファイル）を挿入し、再生することが可能となる。
【００１４】
【発明の実施の形態】
以下、本発明の一実施の形態を図面を参照して説明する。
【００１５】
図１は、本発明のデータ再生装置の一実施の形態が適用された音声記録再生装置の構成を示したブロック図である。
【００１６】
まず、本音声記録再生装置において、音声を記録する場合の信号の流れに沿って、各ブロックの説明を行う。
【００１７】
即ち、この音声記録再生装置は、音声を電気信号に変換するマイク１１と、不図示の外部マイク等の外部装置からの音声信号を入力するライン入力端子１２と、を具備している。そして、これらのうちどちらを使用するかを、入力切換スイッチ（ＳＷ）１３によって選択する。この入力切換スイッチ１３は、外部装置に接続された端子がライン入力端子１２に接続されたときには該ライン入力端子１２を選択し、それ以外の場合にはマイク１１を選択するように構成されている。なお、本実施の形態では、マイク１１及びライン入力端子１２は、何れも音声チャンネルが一つのモノラルでの入力としている。
【００１８】
そして、上記入力切換スイッチ１３によって選択された音声信号はプリアンプ１４に入力され、増幅される。このプリアンプ１４の増幅率あるいは電源供給の制御等は、本音声記録再生装置の動作全体を制御する制御回路（ＣＰＵ）１５によって制御されている。
【００１９】
このプリアンプ１４によって増幅された音声信号は、音声信号とデジタル信号との間で信号を変換するステレオコーデック１６の入力アンプ１６Ａに入力される。音声信号は、この入力アンプ１６Ａで再度増幅された後に、アナログ信号である音声信号をデジタル信号に変換するＡ／Ｄコンバータ（Ｒ）１６Ｂ−Ｒ及びＡ／Ｄコンバータ（Ｌ）１６Ｂ−Ｌそれぞれに入力される。そして、これらＡ／Ｄコンバータ１６Ｂ−Ｒ，１６−Ｌで音声信号はデジタル音声信号に変換され、デジタルフィルタ１６Ｃに入力される。
【００２０】
なお、ステレオコーデック１６自体は、ステレオ信号に対するアナログ信号からデジタル信号への変換、及びデジタル信号からアナログ信号への変換に対応しているので、Ａ／Ｄコンバータも右チャンネルおよび左チャンネル用の１６Ｂ−Ｒと１６Ｂ−Ｌの二つが備えられているが、マイク１１またはライン入力端子１２がモノラル入力であるため、上述のように一つの入力信号をそれぞれのＡ／Ｄコンバータ１６Ｂ−Ｒ及び１６Ｂ−Ｌの両方に入力するような構成を採っている。
【００２１】
上記デジタルフィルタ１６Ｃでは、上述の音声信号からデジタル音声信号への変換が行われたときに発生するエリアシングノイズと呼ばれる不要な量子化ノイズをデジタル音声信号から取り除く処理が行われる。そして、量子化ノイズが取り除かれたデジタル音声信号は、デジタル信号処理部（以後ＤＳＰと略す。）１７へ転送される。
【００２２】
ＤＳＰ１７では、上記ＣＰＵ１５の制御のもとで、入力されたデジタル音声信号をフレーム単位で所定のフォーマットに従って符号化（圧縮変換）し、符号化データを生成する。なお、本音声記録再生装置では、Digital Speech Standard（以後ＤＳＳと略す。）と呼ばれる符号化方式を用いることとする。
【００２３】
こうして生成された符号化データは、上記ＣＰＵ１５の制御のもとで、符号化データ記録手段としてのメモリカード１８へ転送され、所定のアドレスに順次書き込まれる。このメモリカード１８は、本音声記録再生装置本体に対して着脱可能なカード形状をした、フラッシュメモリ等の半導体メモリで構成されている。具体的には、Smart Media（登録商標）等があり、本音声記録再生装置ではこれを用いることとする。
【００２４】
なお、上記メモリカード１８内に書き込まれた符号化データは、ファイルを一つの単位として扱われる（ＤＳＳ方式で符号化された符号化データファイルを以後ＤＳＳファイルと呼ぶこととする。）。また、本音声記録再生装置での音声の記録はモノラルで行われるようになっているので、Ａ／Ｄコンバータ（Ｒ）１６Ｂ−Ｒ側から出力されたデジタル音声信号の符号化データのみが、メモリカード１８に記録されるようになっている。
【００２５】
次に、上記メモリカード１８に記録された符号化データを再生する際の信号の流れに沿って、各ブロックの機能等の説明を行う。
【００２６】
まず、上記メモリカード１８から、ＤＳＰ１７へ符号化データを順次転送する。このＤＳＰ１７に転送された符号化データは、上記ＣＰＵ１５の制御のもとで、所定のフレーム単位でデジタル音声データに復号化（伸張変換）される。なお、メモリカード１８には、後で詳述するように、ＤＳＳファイル以外の符号化データも記録可能となっている。従って、ＤＳＰ１７では、メモリカード１８から送られてきた符号化データに対して、どの符号化方式が用いられているのかを判別し、その符号化方式に従って符号化データを復号化する。本実施の形態においていは、音声記録再生装置は、マイクロソフト社（登録商標）のWindows Media（登録商標）方式（以後、ＷＭＡ方式と記し、その符号化データファイルをＷＭＡファイルと記す。）、Motion Picture Experts Groupe-1 Audio Layer3方式（以後ＭＰ３方式と記し、その符号化データファイルをＭＰ３ファイルと記す。）、及び上記ＤＳＳ方式の３つの復号化を行うことができることとする。このＤＳＰ１７で復号化されたデジタル音声信号は、上記ステレオコーデック１６へ転送される。
【００２７】
転送されたデジタル音声信号は、ステレオコーデック１６内の上記デジタルフィルタ１６Ｃにおいて、不要な量子化雑音の除去が行われる。その後、左右各チャンネル毎にＤ／Ａコンバータ（Ｒ）１６Ｄ−Ｒ、及びＤ／Ａコンバータ（Ｌ）１６Ｄ−Ｌにおいてデジタル音声信号からアナログの音声信号への変換が行われ、出力アンプ（Ｒ）１６Ｅ−Ｒ及び出力アンプ（Ｌ）１６Ｅ−Ｌで信号の増幅が行われ、該ステレオコーデック１６から出力される。なお、元の符号化データがモノラルでのデータであった場合には、左右両チャンネルに同じ信号を入力して処理の後、出力する。
【００２８】
上記ステレオコーデック１６から出力された左右各チャンネルの音声信号は、お互いに連動している出力切換スイッチ（Ｒ）１９−Ｒ及び出力切換スイッチ（Ｌ）１９−Ｌによってその出力先が切換えられる。音声信号の出力先には、外部ヘッドホン等を接続して外部の再生機器を用いて音声信号を再生するヘッドホン端子（Ｒ）２０−Ｒ及びヘッドホン端子（Ｌ）２０−Ｌと、本音声記録再生装置本体に備えられたスピーカ２１との二つが用意されている。
【００２９】
ここで、上記出力切換スイッチ１９−Ｒ，１９−Ｌをそれぞれ１９−Ｒａ，１９−Ｌａ側に切換えた場合には、出力先として、上記ヘッドホン端子（Ｒ）２０−Ｒ及びヘッドホン端子（Ｌ）２０−Ｌが選択され、ヘッドホンアンプ（Ｒ）２２−Ｒ及びヘッドホンアンプ（Ｌ）２２−Ｌでヘッドホン端子２０−Ｒ，２０−Ｌからの出力に合わせた増幅率で音声信号が増幅され、左右各チャンネル毎に出力される。
【００３０】
一方、上記出力切換スイッチ１９−Ｒ，１９−Ｌをそれぞれ１９−Ｒｂ，１９−Ｌｂ側に切換えた場合には、出力先としてスピーカ２１が選択される。なお、スピーカ２１は一つしか本体に内蔵されていないので、音声信号は左右各チャンネルの信号を合成した後に、スピーカアンプ２３でスピーカ２１に適正な増幅率で増幅され、スピーカ２１から出力される。
【００３１】
また、上記ＣＰＵ１５には、上述したものの他にも、いくつかの回路等が接続されている。
【００３２】
即ち、表示部２４は、２色ＬＥＤと、バックライトを有する液晶ディスプレイとで構成され、本音声記録再生装置の動作状態等を表示している。表示駆動回路２５は、上記ＣＰＵ１５の制御の下で、上記表示部２４を表示駆動する。
【００３３】
操作スイッチ群２６は、特に図示はしていないが、本音声記録再生装置の外装に設けられ、各種機能を制御するための複数の操作スイッチである。ここで、操作スイッチとしては、マイクスイッチ（ＭＩＣＳＷ）２６Ａ、ホールドスイッチ（ＨＯＬＤＳＷ）２６Ｂ、インデクススイッチ（ＩＮＤＥＸＳＷ）２６Ｃ、記録スイッチ（ＲＥＣＳＷ）２６Ｄ、再生スイッチ（ＰＬＡＹＳＷ）２６Ｅ、停止スイッチ（ＳＴＯＰＳＷ）２６Ｆ、早送スイッチ（ＦＦＳＷ）２６Ｇ、早戻スイッチ（ＲＥＷＳＷ）２６Ｈ、メニュースイッチ（ＭＥＮＵＳＷ）２６Ｉ、消去スイッチ（ＥＲＡＳＥＳＷ）２６Ｊ、及びフォルダスイッチ（ＦＬＳＷ）２６Ｋが含まれる。
【００３４】
上記ＭＩＣＳＷ２６Ａは、上記マイク１１の感度の切換を指示するためのスイッチである。また、上記ＨＯＬＤＳＷ２６Ｂは、各スイッチの操作を無効とし、現在の状態を保持させるよう指示するためのスイッチである。上記ＩＮＤＥＸＳＷ２６Ｃは、インデクスマークの記録指示用のスイッチである。
【００３５】
上記ＲＥＣＳＷ２６Ｄは、録音の開始を指示するためのスイッチであり、上記ＰＬＡＹＳＷ２６Ｅは、録音された音声の再生の開始を指示するためのスイッチである。そして、上記ＳＴＯＰＳＷ２６Ｆは、上記録音や再生の停止を指示するためのスイッチである。また、上記ＦＦＳＷ２６Ｇは、ファイルのスキップ等を指示するためのスイッチであり、上記ＲＥＷＳＷ２６Ｈは、ファイルの逆スキップ等を指示するためのスイッチである。上記ＭＥＮＵＳＷ２６Ｉは、各種設定を行う際の設定項目の呼び出しを行うためのスイッチである。ＥＲＡＳＥＳＷ２６Ｊは、ファイルの消去指示を行うためのスイッチである。そして、ＦＬＳＷ２６Ｋは、後述するように上記メモリカード１８に複数フォルダが構成されているので、録音や再生を行うフォルダを指定するためのスイッチである。
【００３６】
また、電源回路２７は、本音声記録再生装置を駆動するための電力を供給するための回路で、バッテリ、バッテリチェック回路、パワーオンリセット回路、昇圧回路、降圧回路、及び外部電源接続回路等の電源制御に関する回路を含む。
【００３７】
内蔵メモリ２８は、本体内蔵の書き換え可能な不揮発性メモリであるＥＥＰＲＯＭで構成されており、ユーザＩＤ、録音モード（標準モード／長時間モード）の選択設定、ＢＥＥＰ音（ＯＮ／ＯＦＦ）の選択設定、データの再生位置、等のＣＰＵ１５に電源が供給されなくなっても記録しておきたい各種設定、パラメータ等を記録しておくものである。
【００３８】
また、本音声記録再生装置は、パーソナルコンピュータ（ＰＣ）等の外部機器と接続可能となっている。即ち、本音声記録再生装置は、外部機器と接続し、双方向通信を行うことで、例えば、ＰＣのハードディスク等に記録されている符号化データファイルを上記メモリカード１８に転送したり、その逆に、上記メモリカード１８に記録されている符号化データファイルをＰＣ側の記録媒体に転送したり、あるいは、上記マイク１１から入力された音声信号をステレオコーデック１６でデジタル信号に変換し、ＤＳＰ１７で符号化した符号化データを直接ＰＣ側の記録媒体に記録するようにしたりするなど、この他にも様々な処理を行うことができるようになる。上述のＰＣ等の外部機器との通信のために、本音声記録再生装置では、Universal Serial Bus（以後ＵＳＢと記す。）と呼ばれるインターフェースを介して接続するように構成されている。即ち、ＵＳＢ接続端子２９はＵＳＢケーブルに接続するための接続端子であり、ＵＳＢドライバ３０によって制御され、内部バスを介してＣＰＵ１５に接続されている。
【００３９】
ここで、本音声記録再生装置の動作モードについて説明しておく。本音声記録再生装置には二つの動作モードがある。一つは、マイク１１やライン入力端子１２から入力される音声を録音し再生する事が可能な第１のモード（以後、レコーダモードと記す。）であり、もう一つは、録音動作は行うことができず、記録媒体としてのメモリカード１８に記録されている符号化データファイルを再生することに特化した第２のモード（以後プレーヤモードと記す。）である。本音声記録再生装置においては、レコーダモードでは、主としてメッセージメモやディクテーション、会議録音等での使用を想定し、符号化方式は高圧縮で長時間録音に適しているＤＳＳ方式を用いることとする。これに対して、プレーヤモードでは、主として音楽を聴くことを想定し、高音質な再生が可能なＷＭＡ方式及びＭＰ３方式の符号化を用いることとする。
【００４０】
なお、音量調節器３１は、再生音量の調節及び上記音声起動録音での感度設定に用いられるものである。
【００４１】
次に、図２を用いて、本音声記録再生装置に用いられているメモリカード１８には、どのようにデータが記録されているのかを説明する。
【００４２】
メモリカード１８のルートディレクトリには、符号化データファイル４１及び再生順データファイル４２が記録されるようになっている。
【００４３】
ここで、上記符号化データファイル４１は、拡張子に「ｍｐ３」又は「ｗｍａ」を有したファイルである。これら拡張子「ｍｐ３」又は「ｗｍａ」により、当該符号化データファイルが上記ＭＰ３方式又は上記ＷＭＡ方式で符号化された音楽データであるということが示される。このような符号化データファイル４１は、上述のプレーヤモードで再生が可能なファイルである。
【００４４】
また、上記再生順データファイル４２は、上述のプレーヤモードで再生が可能な複数の符号化データファイル４１の再生の順番をテーブルデータとして有しているファイルである。プレーヤモードで符号化データファイル４１の再生の順番を変えたい場合には、この再生順データファイル４２を上記ＣＰＵ１５の制御により書き換えれば良い。
【００４５】
さらに、このメモリカード１８には、ＤＳＳファイルフォルダ４３，４４，４５及びシステムフォルダ４６といった複数のサブホルダが設けられている。
【００４６】
ここで、上記ＤＳＳファイルフォルダ４３，４４，４５は、それぞれ、複数のＤＳＳファイルを格納しておくためのフォルダである。レコーダモードでは、ＤＳＳファイルを整理するためにＡ，Ｂ，Ｃの３つのフォルダが設けられており、ＤＳＳファイルフォルダ４３，４４，４５はこれらのフォルダＡ，Ｂ，Ｃに対応する。
【００４７】
これらＤＳＳファイルフォルダ４３，４４，４５に格納されたＤＳＳファイル４７Ａ，４７Ｂ，４７Ｃは、レコーダモードにて再生が可能なファイルであり、録音時には、これらＤＳＳファイルフォルダ４３，４４，４５の何れかにＤＳＳファイルが作成される。
【００４８】
ＤＳＳファイルの再生の順番はそれぞれフォルダ毎に、上記ルートディレクトリの再生順データファイル４２と同様に、再生順データファイル４８Ａ，４８Ｂ，４８Ｃにテーブルデータとして記録されている。なお、上記表示部２４の表示能力、あるいは操作者の使い勝手等を考慮し、本実施の形態の音声記録再生装置では１フォルダあたりの記録可能ファイル数は１９９件とし、全体では５９７件とする。
【００４９】
なお、特に上記ＤＳＳファイルフォルダ４３には、上述のファイルの他に、フォルダ名データファイル４９とリカバリデータファイル５０とが記録されている。本音声記録再生装置では、上述したフォルダＡ，Ｂ，Ｃは、上記表示部２４におけるフォルダ表示名を任意の表示名に変更することができるようになっており、上記フォルダ名データファイル４９は、その表示名とＤＳＳファイルフォルダ４３，４４，４５とを対応付けさせるためのデータが記録されている。また、上記リカバリデータファイル５０は、何らかの理由で、ＤＳＳファイルフォルダ４３，４４，４５内のデータが破壊されてしまったときに復旧を行うためのデータが記録されているファイルである。
【００５０】
そして、上記システムフォルダ４６は、プレーヤモードで再生される符号化データファイル４１のコーデックファイル５１，５２を格納するためのフォルダである。コーデックファイル５１，５２のファイル名の先頭３文字は、対応する符号化データファイルの拡張子を用いている。また、これらコーデックファイル５１，５２の拡張子は「ｉｍｇ」が用いられている。
【００５１】
図３の（Ａ）は、上記表示部２４の液晶ディスプレイ２４０の表示を示す図であり、ここでは全ての表示要素を点灯した状態を示しており、実際にはそれらが選択的に表示されるものである。即ち、上記表示部２４は、電池残量表示２４１、フォルダ表示２４２、インデクス表示２４３、録音モード２４４、書換禁止表示２４５、ファイル番号表示部２４６、第１文字列表示部２４７、及び第２文字列表示部２４８、等の表示要素を有している。
【００５２】
図４の（Ａ）は、本音声記録再生装置のメインフローチャートを示す図である。
【００５３】
即ち、電池の装填等により電源が回路に供給されると動作が開始され、まず、メモリ内のクリア、各種パラメータ設定、ハードウェアリセット等の初期設定が行われる（ステップＳ１１）。続いて、現在時刻の設定を行う（ステップＳ１２）。この現在時刻の設定は、ＦＦＳＷ２６Ｇ及びＲＥＷＳＷ２６Ｈを用いて数値を上下させ、ＰＬＡＹＳＷ２６Ｅで確定するようにして行う。なお、ここでＳＴＯＰＳＷ２６Ｆを押せば、この現在時刻の設定操作をキャンセルすることができる。
【００５４】
こうして初期設定及び時刻設定が行われたならば、次に、本音声記録再生装置の本体にメモリカード１８が装填されているか否かを判別する（ステップＳ１３）。本音声記録再生装置では、このメモリカード１８が装填されていない場合には通常操作は行うことができないようになっている。よって、メモリカード１８が装填されていない時には、更に、何か操作ＳＷが操作されたか否かを判別し（ステップＳ１４）、操作されなければ上記ステップＳ１３に戻るが、操作された場合には、スピーカ２１より警告音を鳴らして、操作できないことをユーザに通知した後（ステップＳ１５）、上記ステップＳ１３に戻るようにしている。
【００５５】
一方、メモリカード１８が装填されていた場合には、更に、その装填されているメモリカード１８をチェックし、メモリカード１８が使用可能かどうかを判別する（ステップＳ１６）。ここで、破損或いは未フォーマット等で当該メモリカード１８が使用不能と判定された場合には、表示部２４によりメッセージを表示して、ユーザに対してフォーマット処理を要求し（ステップＳ１７）、これに応じてユーザがフォーマット処理を行うか或いはキャンセルした後、上記ステップＳ１３に戻る。
【００５６】
そして、使用可能なメモリカード１８が装填されていると判別した場合には、上記内蔵メモリ２８に記録されているカレントフォルダの情報に従って動作モードを判別し（ステップＳ１８）、レコーダモードであればレコーダモードの処理を実行し（ステップＳ１９）、或いはプレーヤモードであればプレーヤモードの処理を実行する（ステップＳ２０）。なお、上記カレントフォルダの情報として何も指定されていなかった場合には、初期設定としてレコーダモードが指定されるようになっている。
【００５７】
図５は、上記ステップＳ１９で実行されるレコーダモードのフローチャートを示している。このレコーダモードは、前述したように、本音声記録再生装置で録音及び再生を行うことができるモードであり、符号化方式にＤＳＳ方式を用いるものである。
【００５８】
即ち、まず、上記ＲＥＣＳＷ２６ＤがＯＮされたか否かを判別し（ステップＳ３１）、それがＯＮされたならば録音処理を実行する（ステップＳ３２）。この録音処理においては、上記内蔵メモリ２８に記録されているカレントフォルダの情報に従って、カレントフォルダにＤＳＳファイルを記録するものである。この際、カレントフォルダの再生順データファイルのテーブルデータの最後に、その録音されたＤＳＳファイルのファイル名が追加される。
【００５９】
上記ＲＥＣＳＷ２６ＤがＯＮされていない場合、或いは、上記録音処理終了後、上記ＰＬＡＹＳＷ２６ＥがＯＮされたか否かを判別し（ステップＳ３３）、それがＯＮされたならばＰＬＡＹの処理を実行する（ステップＳ３４）。このＰＬＡＹの処理は、ファイルの再生を行うものであるが、その詳細については後述する。
【００６０】
上記ＰＬＡＹＳＷ２６ＥがＯＮされていない場合、或いは、上記ＰＬＡＹの処理終了後、上記ＦＦＳＷ２６ＧがＯＮされたか否かを判別し（ステップＳ３５）、それがＯＮされたならば順スキップを行う（ステップＳ３６）。この順スキップとは、カレントフォルダ内で、ファイル番号を１ずつインクリメントする処理である。
【００６１】
上記ＦＦＳＷ２６ＧがＯＮされていない場合、或いは、上記順スキップ終了後、上記ＲＥＷＳＷ２６ＨがＯＮされたか否かを判別し（ステップＳ３７）、それがＯＮされたならば逆スキップを行う（ステップＳ３８）。この逆スキップとは、カレントフォルダ内で、ファイル番号を１ずつデクリメントする処理である。
【００６２】
上記ＲＥＷＳＷ２６ＨがＯＮされていない場合、或いは、上記逆スキップ終了後、上記ＭＥＮＵＳＷ２６ＩがＯＮされたか否かを判別し（ステップＳ３９）、それがＯＮされたならばメニュー設定を行う（ステップＳ４０）。このメニュー設定は、各種動作環境の設定を行うものであり、この設定項目の選択は、上記ＦＦＳＷ２６Ｇ又はＲＥＷＳＷ２６Ｈの操作により設定項目を順方向又は逆方向に送ることで選択を行い、上記ＰＬＡＹＳＷ２６ＥをＯＮ操作することで確定し、そして、確定が行われたならば、その選択された設定項目の設定処理を行うというものである。ここで設定項目としては、録音モード（標準（ＳＰ）モード／長時間（ＬＰ）モード）、時刻設定、アラーム再生設定、ＢＥＥＰ音（ＯＮ／ＯＦＦ）、フォルダ名、ユーザＩＤ、書込禁止、メモリフォーマット、等がある。
【００６３】
上記ＭＥＮＵＳＷ２６ＩがＯＮされていない場合、或いは、上記メニュー設定終了後、上記ＥＲＡＳＥＳＷ２６ＪがＯＮされたか否かを判別し（ステップＳ４１）、それがＯＮされたならば消去処理を行う（ステップＳ４２）。この消去処理は、選択されているファイルをメモリから消去するものである。
【００６４】
上記ＥＲＡＳＥＳＷ２６ＪがＯＮされていない場合、或いは、上記消去処理終了後、上記ＳＴＯＰＳＷ２６ＦがＯＮされたか否かを判別し（ステップＳ４３）、それがＯＮされたならばメモリ残量表示を行う（ステップＳ４４）。このメモリ残量の表示は、ＳＴＯＰＳＷ２６ＦをＯＮしている間だけ、現在の設定で後どれだけ録音できるかを表示するものである。
【００６５】
上記ＳＴＯＰＳＷ２６ＦがＯＮされていない場合、或いは、上記メモリ残量表示終了後、図示しない内蔵時計により、ユーザが予め設定したアラーム時刻になったか否かを判別する（ステップＳ４５）。ここで、アラーム時刻になった場合には、アラーム再生を行う（ステップＳ４６）。このアラーム再生とは、予め設定された時刻が到来したならば、スピーカ２１よりアラーム音が所定時間出力され、その間にユーザが何か操作ＳＷを操作したならば、予め選択されているファイルが再生されるという機能である。
【００６６】
アラーム時刻になっていない場合、或いは、上記アラーム再生終了後、上記ＵＳＢ端子２９により不図示のＰＣと接続されたか否かを判別する（ステップＳ４７）。ここで、ＰＣと接続されたと判別したならば、通信モードに移行する（ステップＳ４８）。この通信モードでは、ＰＣと通信を行い、ＰＣにあるオーディオファイルや再生に必要なデータをダウンロードすることができる。なおこの間、操作スイッチ群２６の入力は無効となる。そして、ＰＣとの接続が絶たれたならば、この通信モードから復帰するものである。
【００６７】
ＰＣと接続されていない場合、或いは、上記通信モードから復帰したならば、更に、上記ＦＬＳＷ２６ＫがＯＮされたか否かを判別し（ステップＳ４９）、それがＯＮされたならばカレントフォルダを次のフォルダに切換える（ステップＳ５０）。即ち、上記ＦＬＳＷ２６ＫをＯＮする毎に、Ａ→Ｂ→Ｃ→Ｍ（ルート）→Ａ→…とフォルダがサイクリックに切換るようになっている。なお、フォルダＡ，Ｂ及びＣの場合には動作モードはレコーダモードとなり、フォルダＭの場合にはプレーヤモードとなる。この切換えられたカレントフォルダの情報は上記内蔵メモリ２８に格納され、電源が供給されなくなっても保持することができるようになっている。
【００６８】
そして、ＦＬＳＷ２６ＫがＯＮされていない場合、或いは、上記フォルダ切換え後、メインフローチャートに戻る。
【００６９】
一方、上記ステップＳ２０で実行されるプレーヤモードは、前述したように、本音声記録再生装置で録音ができず、高音質な再生を行うことができるモードであり、符号化方式にＷＭＡ方式及びＭＰ３方式を用いるものである。
【００７０】
このプレーヤモードのフローチャートは、図５に示す上記レコーダモードのフローチャートから録音処理、メモリ残量表示、通信モードの各処理と、それらの処理に進むための操作ＳＷの判断を除いたものであり、よって、そのフローチャートの図示及び説明は省略する。
【００７１】
図６は、上記レコーダモードにおける上記ステップＳ３４で実行されるＰＬＡＹの処理を説明するためのフローチャートを示す図である。
【００７２】
即ち、上記ＰＬＡＹＳＷ２６ＥのＯＮによりこの処理が開始されると、まず、ユーザ指定のＤＳＳファイルの再生を開始する（ステップＳ６１）。
【００７３】
なお、この再生中は、図３の（Ｂ）に示すように、表示部２４に再生中のＤＳＳファイルの情報が表示されるようになっている。即ち、フォルダ表示２４２のうちカレントフォルダに対応するもの（『Ａ』）を点灯し、第１文字列表示部２４７にはカウンタ表示が、第２文字列表示部２４８にはファイル長が表示される。
【００７４】
そして、この再生中に上記ＦＦＳＷ２６Ｇ又は上記ＲＥＷＳＷ２６ＨがＯＮされた場合には（ステップ６２）、その操作ＳＷがＯＮされている間のみ早送又は早戻処理が行われる（ステップＳ６３）。
【００７５】
また、再生中に上記ＰＬＡＹＳＷ２６ＥがＯＮされた場合には（ステップＳ６４）、その位置で再生が一時停止される（ステップＳ６５）。その状態で、もう一度ＰＬＡＹＳＷ２６ＥがＯＮされれば、この一時停止が解除される。
【００７６】
そして、再生中に上記ＩＮＤＥＸＳＷ２６ＣがＯＮされた場合には（ステップＳ６６）、インデクス付与処理が行われる（ステップＳ６７）。このインデクス付与処理では、まず、インデクスマークの付与が可能かどうかをチェックし、可能であれば、そのＩＮＤＥＸＳＷ２６ＣがＯＮされた箇所にインデクスマークを付与する。また、インデクスマークを付与できないときには、例えばスピーカ２１より警告音を鳴らす等の警告を行う。なおここで、インデクスマークが付与できない場合とは、規格によって決められた所定数（ここでは１６個とする。）のインデクスマークが既に付与された状態でＩＮＤＥＸＳＷ２６ＣがＯＮされたような場合や、再生中のファイル又はカレントフォルダ或いはメモリカード１８が書込禁止となっている場合、等である。
【００７７】
また、再生中は、当該ＤＳＳファイルの再生位置にインデクスマークが付与されているかどうかを常に検出しており、その再生位置にインデクスマークが付与されていた場合には（ステップＳ６８）、図７の（Ａ）のフローチャートに示すようなインデクス表示の処理を実行する（ステップＳ６９）。
【００７８】
即ち、まず、インデクスマークの位置に来たことをユーザに知らせるため、表示部２４のインデクス表示２４３の点灯を開始する（ステップＳ９１）。なお、このインデクス表示２４３の点灯は、後述するようにして２秒間継続されるものである。
【００７９】
そして次に、当該インデクスマークに対応するリンク情報が設定されているか否かを判定する（ステップＳ９２）。ここで、リンク情報は、当該インデクスマークを特定するためのインデクス番号と、そのＤＳＳファイルに関連付けられたファイルであるリンクファイルを特定するためのリンクファイル名とからなり、ＤＳＳファイルの規格でヘッダ部分のユーザ利用可能な領域に記録されるものである。而して、当該インデクスに対応するリンク情報が設定されていなければ、上位のルーチンに戻る。
【００８０】
これに対して、当該インデクスに対応するリンク情報が設定されている場合には、さらに、そのリンク情報で特定されるリンクファイルがメモリカード１８に存在するか否かを判定する（ステップＳ９３）。ここで、リンクファイルが存在しない場合には、例えばスピーカ２１より警告音を鳴らす等の警告を行った後（ステップＳ９４）、上位のルーチンに戻る。
【００８１】
また、リンクファイルが存在した場合には、現在再生中のＤＳＳファイルの再生を一旦停止し、その位置情報を内蔵メモリ２８或いはＣＰＵ１５内の図示しないレジスタ等に記録しておく（ステップＳ９５）。そして、リンクファイルを再生するのに動作モードの変更が必要な場合には動作モードの再設定を行ってから（ステップＳ９６）、そのリンクファイルの再生を開始し（ステップＳ９７）、上位のルーチンに戻る。
【００８２】
こうして戻った上位のルーチンでは、更に、現在表示部２４でインデクス表示２４３が点灯中であるか否かを判別し（ステップＳ７０）、そうであれば、図７の（Ｂ）のフローチャートに示すようなリンク設定の処理を実行する（ステップＳ７１）。このインデクス表示２４３の点灯が行われている間は、リンクファイルを設定したり、解除したりすることが可能となっている。
【００８３】
即ち、まず、現在、リンクファイルの再生中であるか否かを検出する（ステップＳ１０１）。ここで、リンクファイル再生中でない、つまり上記インデクス表示の処理においてリンク情報が設定されていないときには、通常のＤＳＳファイルが続けて再生されていることになる。
【００８４】
而して、このような場合には、インデクス表示２４３は２秒間点灯させるだけであるので、まず、インデクス表示２４３が点灯されてから２秒経過したか否かを検出し（ステップＳ１０２）、まだ２秒経過していない場合には、更に上記ＭＥＮＵＳＷ２６ＩがＯＮされたか否かを判別し（ステップＳ１０３）、それがＯＮされていない場合には、上位のルーチンに戻る。また、インデクス表示２４３が点灯されてから２秒経過したと判別された場合には、インデクス表示２４３を消灯して（ステップＳ１０４）、上位のルーチンに戻る。
【００８５】
一方、インデクス表示２４３が点灯されてから２秒経過するまでの間のＤＳＳファイル再生中に、或いは、リンクファイルの再生中に、上記ＭＥＮＵＳＷ２６ＩがＯＮされた場合には（ステップＳ１０３）、リンクの指定／解除の処理を行う（ステップＳ１０５）。ここで、このリンクの指定の仕方は、上記ＦＬＳＷ２６Ｋと、ＦＦＳＷ２６Ｇ及びＲＥＷＳＷ２６Ｈとでリンクさせたいファイルを選択し、ＰＬＡＹＳＷ２６Ｅで確定するものである。
【００８６】
また、リンクファイルへのリンクを解除する場合には、リンクファイルの再生中でなければ、当該再生中のＤＳＳファイルのヘッダ部に記録されているリンク情報より最初のリンクファイルが解除候補として表示され、そこで上記ＦＦＳＷ２６Ｇ及びＲＥＷＳＷ２６Ｈとでリンク解除させたいファイルを選択し、ＥＲＡＳＥＳＷ２６ＪをＯＮすることで確定することができる。なお、リンクファイルの再生中には、まず、当該リンクファイルが解除候補として表示されることになる。
【００８７】
こうして、このリンクの指定／解除の処理の後、リンクファイル再生中であるか否かを判別し（ステップＳ１０６）、リンクファイル再生中でなければ、つまり通常のＤＳＳファイル再生中であれば、上位のルーチンに戻る。
【００８８】
また、上記リンクの指定／解除の処理においてリンクが解除された場合には、そのリンク解除されたリンクファイルが再生中であるという可能性がある。従って、リンクファイル再生中であった場合には、リンクファイルの再生を停止し（ステップＳ１０７）、元のファイルを再生するために動作モードの変更が必要な場合には、動作モードの再設定を行う（ステップＳ１０８）。そして、上記内蔵メモリ２８或いはＣＰＵ１５内の図示しないレジスタ等に記録している元のファイルの位置情報により、現在位置情報をそこに戻してリンク元ファイルの再生を再開し（ステップＳ１０９）、上位のルーチンに戻る。
【００８９】
元のＰＬＡＹの処理においては、再生中に上記ＳＴＯＰＳＷ２６ＦがＯＮされるか（ステップＳ７２）、当該再生中のファイルの終端まで再生し終えるまで（ステップＳ７３）、ファイルの再生が続けられる。
【００９０】
而して、再生中のファイルの終端まで再生し終えたならば、そのファイルがリンクファイルであったかどうかを判定する（ステップＳ７４）。リンクファイルであった場合には、上記インデクス表示２４３を消灯し（ステップＳ７５）、そのリンクファイルの再生を停止する（ステップＳ７６）。そして、元のファイルを再生するために動作モードの変更が必要な場合には、動作モードの再設定を行って（ステップＳ７７）、上記内蔵メモリ２８或いはＣＰＵ１５内の図示しないレジスタ等に記録している元のファイルの位置情報により現在位置情報をリンク元ファイルに戻す（ステップＳ７８）。その後、上記ステップＳ６１に戻ることで、そのリンク元ファイルの再生を再開する。
【００９１】
また、上記ステップＳ７２でＳＴＯＰＳＷ２６ＦがＯＮされたと判別したときには、更に、リンクファイルの再生中であるかどうかを検出する（ステップＳ７９）。そして、リンクファイル再生中であった場合には、上記インデクス表示２４３を消灯し（ステップＳ８０）、上記内蔵メモリ２８或いはＣＰＵ１５内の図示しないレジスタ等に記録している元のファイルの位置情報により現在位置情報をリンク元ファイルに戻す（ステップＳ８１）。
【００９２】
その後、或いは、上記ステップＳ７４又はステップＳ７９でリンクファイル再生中でないと判別された場合には、当該ファイルの再生を停止する（ステップＳ８２）。そして、リンク情報が更新された場合には、その情報をリンク元ファイルのヘッダ部分に記録して（ステップＳ８３）、上位のルーチンに戻る。
【００９３】
以上のようなＰＬＡＹの処理により、図４の（Ｂ）に示すように、第１のオーディオファイルであるリンク元ファイル（「ｏｌｙｍ００１．ｄｓｓ」）を再生中に、ＩＮＤＥＸＳＷ２６ＣをＯＮするとその位置にインデクスマーク（ＩＮＤＥＸ（０１））が付与され、リンク設定の処理において、第２のオーディオファイルがリンクファイルとして指定されると、そのインデクス番号（ＩＮＤＥＸ（０１））とリンクファイル名（ｔｈｅｍｅ．ｗｍａ）は、内蔵メモリ２８或いはＣＰＵ１５内の図示しないレジスタ等に一時記録され、このＰＬＡＹの処理の終了時にメモリカード１８中の当該リンク元ファイルのヘッダ部分に記録される。
【００９４】
そして、次にそのリンク元ファイル（「ｏｌｙｍ００１．ｄｓｓ」）がこのＰＬＡＹの処理により再生されるときには、図４の（Ｃ）に示すように、ファイルの先頭（図の左側とする）から再生されて行き、上記インデクスマークの位置になると、リンクファイル（ｔｈｅｍｅ．ｗｍａ）が再生される。
【００９５】
また、リンクファイルを聞く必要が無い場合には、そのリンクファイルの再生が始まった時に上記ＳＴＯＰＳＷ２６ＦをＯＮすることでその再生が停止し、現在位置情報をリンク元ファイルに戻されるので、再びＰＬＡＹＳＷ２６ＥをＯＮすれば、リンク元ファイルのその位置から続きを聞くことができる。即ち、挿入したファイルを聞く必要がない場合にはその再生をスキップすることが可能となる。
【００９６】
なお、この上記リンクファイル再生時は、表示部２４には、図３の（Ｃ）に示すような表示がなされる。即ち、フォルダ表示２４２、録音モード２４４、ファイル番号表示部２４６には、リンク元のファイルを特定するための情報が表示され、インデクス表示２４３が点灯される。また、第１文字列表示部２４７にはリンク元ファイルのインデクスが付与されている位置を確認できる表示を行うと共に、第２文字列表示部２４８には、リンクされているファイルの番号を表示する。従って、この間、カウンタ表示はされない。
【００９７】
そして、このリンクファイルの再生が終了したならば、図４の（Ｃ）に示すように、上記インデクスマークの位置から続けてリンク元ファイルの再生が再開される。
【００９８】
なお、図４の（Ｂ）及び（Ｃ）はインデクスマークが一つの場合であるが、前述したようにインデクスマークは一つのファイルに複数個付加することが可能であり、それぞれにリンクファイルを関連付ける事が可能なことは勿論である。また、この場合、複数のインデクスマークで同一のリンクファイルを関連付けても良い。
【００９９】
一方、上記プレーヤモードにおけるＰＬＡＹの処理のフローチャートは、図６に示す上記レコーダモードのフローチャートから上記ステップＳ６８乃至ステップＳ７１、ステップＳ７４乃至ステップＳ８１、及びステップＳ８３の処理を除いたものであり、よって、そのフローチャートの図示及び説明は省略する。
【０１００】
なお、このプレーヤモード時、つまり符号化データファイル４１を再生している場合の表示部２４の表示は、図３の（Ｄ）に記すように、フォルダ表示２４２のうちプレーヤモード表示（『ＭＵＳＩＣ』）を点灯し、第１文字列表示部２４７には曲名（ファイル名）が、第２文字列表示部２４８にはカウンタ表示が行われるものとなる。
【０１０１】
以上実施の形態に基づいて本発明を説明したが、本発明は上述した実施の形態に限定されるものではなく、本発明の要旨の範囲内で種々の変形や応用が可能なことは勿論である。
【０１０２】
例えば、上記一実施の形態ではリンク情報をＤＳＳファイルのヘッダ部分に記録しておくものとしているが、別のデータファイルとしてメモリカード１８に記録しておくようにしても良い。
【０１０３】
また、リンクファイルを聞く必要が無い場合に、リンクファイル再生中にＳＴＯＰＳＷ２６ＦをＯＮすることで現在位置情報をリンク元ファイルに戻してからそのリンクファイルの再生を停止するものとしているが、上記ステップＳ７９でリンク再生中と判定された時、上記ステップＳ７５へ進むようにすることで、再びＰＬＡＹＳＷ２６ＥをＯＮすることなく、直ちにリンク元ファイルの続きを聞くことができるようにしても良い。
【０１０４】
或いは、上記ＭＥＮＵＥＳＷ２６ＩのＯＮによるメニュー設定の処理の中で、リンクファイルの再生を行うリンクモードのＯＮ／ＯＦＦを設定できるようにし、ＰＬＡＹＳＷ２６ＥのＯＮによるＰＬＡＹの処理中で、リンクモードがＯＮのときにのみリンクファイルの再生を行うようにしても良い。
【０１０５】
【発明の効果】
以上詳述したように、本発明によれば、オーディオファイルの所望の箇所に容易にメッセージを挿入再生することが可能なデータ再生装置を提供することができる。
【図面の簡単な説明】
【図１】本発明のデータ再生装置の一実施の形態が適用された音声記録再生装置の構成を示したブロック図である。
【図２】メモリカードの記憶構成を説明するための図である。
【図３】（Ａ）は表示部の全ての表示要素を点灯した状態を示す図、（Ｂ）は通常再生時（レコーダモード）の表示例を示す図、（Ｃ）はリンクファイル再生時の表示状態を示す図であり、（Ｄ）は通常再生時（プレーヤモード）の表示例を示す図である。
【図４】（Ａ）は一実施の形態が適用された音声記録再生装置のメインフローチャートを示す図、（Ｂ）はリンク前の２つのオーディオファイルの関係を示す図であり、（Ｃ）はリンク後の２つのオーディオファイルの再生順を示す図である。
【図５】レコーダモードのフローチャートを示す図である。
【図６】図５中のＰＬＡＹの処理を説明するためのフローチャートを示す図である。
【図７】（Ａ）は図６中のインデクス表示の処理を説明するためのフローチャートを示す図であり、（Ｂ）は図６中のリンク設定の処理を説明するためのフローチャートを示す図である。
【符号の説明】
１５      制御回路（ＣＰＵ）
１７      デジタル信号処理部（ＤＳＰ）
１８      メモリカード
２４      表示部
２５      表示駆動回路
２６      操作スイッチ群
２６Ａ      マイクスイッチ（ＭＩＣＳＷ）
２６Ｂ      ホールドスイッチ（ＨＯＬＤＳＷ）
２６Ｃ      インデクススイッチ（ＩＮＤＥＸ）
２６Ｄ      記録スイッチ（ＲＥＣＳＷ）
２６Ｅ      再生スイッチ（ＰＬＡＹＳＷ）
２６Ｆ      停止スイッチ（ＳＴＯＰＳＷ）
２６Ｇ      早送スイッチ（ＦＦＳＷ）
２６Ｈ      早戻スイッチ（ＲＥＷＳＷ）
２６Ｉ      メニュースイッチ（ＭＥＮＵＳＷ）
２６Ｊ      消去スイッチ（ＥＲＡＳＥＳＷ）
２６Ｋ      フォルダスイッチ（ＦＬＳＷ）
２８      内蔵メモリ
４１      符号化データファイル
４２，４８Ａ，４８Ｂ，４８Ｃ      再生順データファイル
４３，４４，４５      ＤＳＳファイルフォルダ
４６      システムフォルダ
４７Ａ，４７Ｂ，４７Ｃ      ＤＳＳファイル
４９      フォルダ名データファイル
５０      リカバリデータファイル
５１，５２      コーデックファイル
２４２      フォルダ表示
２４３      インデクス表示
２４４      録音モード
２４５      書込禁止表示
２４６      ファイル番号表示部
２４７      第１文字列表示部
２４８      第２文字列表示部
【図１】
0004713764.tif 000002
【図２】
0004713764.tif 000003
【図３】
0004713764.tif 000004
【図４】
0004713764.tif 000005
【図５】
0004713764.tif 000006
【図６】
0004713764.tif 000007
【図７】
0004713764.tif 000008